(57)【特許請求の範囲】
【請求項１】
熱源となる熱交換器と、この熱交換器を介して温風を浴室内に循環送風する循環ファンを駆動する循環ファンモーターと、浴室内の湿気を含む空気を換気する換気ファンを駆動する換気ファンモーターと、運転動作を制御する電装部を備え、前記循環ファンモーターおよび換気ファンモーター双方の軸方向を製品取付壁面に対しともに垂直となる方向に設けるとともに、前記熱交換器と循環ファンにより構成される循環風路および換気ファンにより構成される排気風路に対して、前記電装部が仕切板により隔たれた壁面設置式浴室乾燥機であって、製品の本体フレーム内の熱交換器より製品設置壁面までの吹出口風路の断面積が前記製品設置壁面に向かい小さくなる形状とし、前記本体フレームと前記吹出口風路の間に隙間を設ける構成としたことを特徴とする壁面設置式浴室乾燥機。
【請求項２】
熱源となる熱交換器と、この熱交換器を介して温風を浴室内に循環送風する循環ファンを駆動する循環ファンモーターと、浴室内の湿気を含む空気を換気する換気ファンを駆動する換気ファンモーターと、運転動作を制御する電装部を備え、前記循環ファンモーターおよび換気ファンモーター双方の軸方向を製品取付壁面に対しともに垂直となる方向に設けるとともに、前記熱交換器と循環ファンにより構成される循環風路および換気ファンにより構成される排気風路に対して、前記電装部が仕切板により隔たれた壁面設置式浴室乾燥機であって、前記循環ファンモーターと前記換気ファンモーターを１枚の支え板に備え、製品の本体フレームの裏面板を取り外すことで前記支え板が確認でき、前記循環ファンモーターおよび前記ファンモーターの交換作業において前記支え板を取り外すことにより前記ファンモーターを取り外すことができる構成としたことを特徴とする壁面設置式浴室乾燥機。
【発明の詳細な説明】
【０００１】
【発明の属する技術分野】
本発明は、衣類および浴室内を乾燥または換気・暖房するために使用される暖房乾燥機のうち壁面に設置することができる浴室乾燥機に関する。
【０００２】
【従来の技術】
近年、夫婦共働きの増加により夜間等を利用して洗濯物を室内で乾かしたいという要望により、浴室を洗濯物の乾燥の場として利用する浴室用衣類乾燥機の需要が増大してきた。また、浴槽に入る前の浴室内が冷えており入浴前の浴室内を暖めておきたいという要望が増加している。特に在来浴室への対応可能な機種陣営が少なく在来浴室設置可能な浴室用衣類乾燥機の要望が高まっている。
【０００３】
従来この種の浴室乾燥機は、特開平９−２２９４６８号公報に記載されたものが知られている。
【０００４】
以下、その構成について図１２を参照しながら説明する。
図１２に示すように、浴室壁面１００に設けられた換気口用貫通孔１０１に、浴室内空気の吸込口１０５より熱源となる熱交換器１０３を通り浴室への吹出１０６に空気を循環させる浴室壁面に平行な回転軸を有するクロスフローファン１０２を備えた製品本体１０４を設置する構成となっていた。
【０００５】
また、壁面設置式浴室乾燥機では特開平８−１１０１５９号公報に記載されたものが知られている。
【０００６】
以下、その壁面設置式浴室乾燥機について図１３を参照しながら説明する。
図１３に示すように、側面を開口し下部に排気口１１０を形成した乾燥機の本体１１１と、この本体１１１の側面開口１１６と連通し設けられる送風機１１２と、この送風機１１２の吹出空気１１７を熱源となる熱交換器１１３を介して側面開口１１６に導く循環風路または排気口１１０に導く排気風路に切り換えるダンパー１１４と、このダンパー１１４および送風機１１２を制御する電装部１１５とを備えた構成としている。また、本体１１１と壁を挟んだ位置に吸込・吹出用のグリル１２０が設けられ、このグリル１２０と本体１１１を壁を介して連結する、すなわち壁面を貫通して連結するダクト１１９が備えられている。
【０００７】
【発明が解決しようとする課題】
このような従来の浴室乾燥機では、ファンの軸方向が壁面１００と水平に位置する形状、つまり風量を得ようとした場合クロスフローファン１０２を用いることになるが、壁面１００を貫通させる構造のうち最も容易な方法は浴室内と浴室外を連結するダクトを用いることとなり、前記クロスフローファン１０２を用いた場合静圧に弱いため壁の厚さによっては風量に多大な差異を生じることがあり、静圧に左右されないファンを用いることが要求されている。
【０００８】
本発明は、このような従来の課題を解決するものであり、浴室壁面の厚さに左右されることなく安定した風量を確保することができ、また、屋外への排気も一定風量確保することのできる壁面設置式浴室乾燥機を提供することを目的としている。
【０００９】
また、従来の壁面設置式浴室乾燥機では、配管接続口１１８が下方向につく構造のため接続配管の引き回し方向が一方向（換気側側面）であり、仮に製品本体設置場所引き回し方向に障害物がある場合、配管接続ができなくなることがあり、接続配管方向を二方向以上できる構造とすることが要求されている。
【００１０】
また、従来の壁面設置式浴室乾燥機では、電装部１１５が本体１１１内に固定されており電装部１１５のメンテナンス作業を行うときには製品本体設置場所、すなわち浴室壁面で行わなければならなくなり作業上不安定となるため、メンテナンス作業を安易に行える構成とすることが要求されている。
【００１１】
また、従来の浴室乾燥機では、モーターを交換する際は熱交換器１０３を外した後にクロスフローファン１０２をずらし引き抜くことにより可能であったが、製品本体設置場所が高所となるため、やはり容易にメンテナンス作業ができる構成とすることが要求されている。
【００１２】
また、従来の浴室乾燥機では、本体１１１とグリル１２０を連結するダクト１１９が鋼板製であるため、壁面の厚みにより長さが調整できるようにしなければならず、一例を挙げると重ね合わせた大小２つのダクトがスライドして長さを調節する方法があるがコストがかかるため、長さ調節の可能な安価なダクトが要求されている。
【００１３】
また、従来の浴室乾燥機では、ダクト１１９が鋼板製であり、本体１１１を取り付ける壁中がワイヤラス張り、メタルラス張り等の場合、本体１１１より漏電した場合、壁中に滞留する恐れがあり、防止策を要求されている。
【００１４】
本発明は、このような従来の課題を解決するものであり、浴室壁面の厚さに関係なくほぼ一定の風量を確保することのできる壁面設置式浴室乾燥機を提供することを第１の目的としている。
【００１５】
また、第２の目的は、製品本体設置場所の影響を受けない接続配管引き回しが可能な構造とすることである。
【００１６】
また、第３の目的は、製品の運転動作を司る電装部のメンテナンス作業を安易に行うことにある。
【００１７】
また、第４の目的は、重量物となるモーターの交換作業の容易化を図ることにある。
【００１８】
また、第５の目的は、長さ調節が可能で安価な壁面貫通ダクトを提供することにある。
【００１９】
また、第６の目的は、壁中にラスメタル等が使用されている場合に製品から漏電した際、壁中に電気が滞留しない構造の壁面設置式浴室乾燥機を提供することにある。
【００２０】
【課題を解決するための手段】
上記課題を解決するための本発明の壁面設置式浴室乾燥機の一つの手段は、熱交換器を介して温風を浴室内に循環送風する循環ファンを駆動する循環ファンモーターおよび浴室内の湿気を含む空気を換気する換気ファンを駆動する換気ファンモーターの軸方向が製品取付壁面に対しともに垂直となる方向に設けたものである。
【００２１】
そして本発明によれば上記手段により、浴室壁面の厚さに関係なくほぼ一定の風量を確保することのできる壁面設置式浴室乾燥機が得られる。
【００２２】
また、他の手段は、製品本体フレームと吹出口風路の間に隙間を設けるものである。
【００２３】
そして本発明によれば上記手段により、接続配管が左右どちらの方向でも導くことができる壁面設置式浴室乾燥機が得られる。
【００２４】
また、他の手段は、本体フレームの裏面板を取り外すことにより電装部が引き出せるようにしたものである。
【００２５】
そして本発明によれば上記手段により、電装部が簡単に引き出せ、電装部のメンテナンス作業を安易に行うことのできる壁面設置式浴室乾燥機が得られる。
【００２６】
また、他の手段は、循環ファンモーターと換気ファンモーターを１枚の支え板に備え、本体フレームの裏面板を取り外すことで支え板が確認できるようにしたものである。
【００２７】
そして本発明によれば上記手段により、本体フレームの裏面板を取り外すことにより簡単にファンモーターを取り外すことができる壁面設置式浴室乾燥機が得られる。
【００２８】
また、他の手段は、本体とダクトを壁面を介して連結するダクトを樹脂製のものにしたものである。
【００２９】
そして本発明によれば上記手段により、長さ調節のための加工が容易で且つ安価なダクトを有する壁面設置式浴室乾燥機が得られる。
【００３０】
また、他の手段は、樹脂製のダクトの使用と凸形の絶縁体を備え、絶縁体を介して壁面にねじ止めしたものである。
【００３１】
そして本発明によれば上記手段により、製品本体と壁中金属部分とを電気的に遮断できる壁面設置式浴室乾燥機が得られる。
【００３３】
【発明の実施の形態】
本発明の請求項１に記載の発明は、製品の本体フレーム内の熱交換器より製品設置壁面までの吹出口風路の断面積が製品設置壁面に向かい小さくなる形状とし、製品の本体フレームと前記吹出口風路の間に隙間を設ける構成としたものであり、従来製品では本体換気側側面からしか温水配管を接続できなかったものに対し、本発明では前記隙間を通し循環側側面からも温水配管を接続できるという作用を有する。
【００３５】
請求項２記載の発明は、循環ファンモーターと換気ファンモーターを１枚の支え板に備え、製品の本体フレームの裏面板を取り外すことで前記支え板が確認でき、前記循環ファンモーターおよび前記ファンモーターの交換作業において前記支え板を取り外すことにより前記ファンモーターを取り外すことができる構成としたものであり、本体フレームの裏面板を取り外すことにより簡単に循環ファンモーターと換気ファンモーターを一体で取り外すことができるという作用を有する。
【００３８】
以下、本発明の実施例について添付図面を参照しながら説明する。
（実施例１）
図１〜図４に示すように、本発明の壁面設置式浴室乾燥機は浴室内の空気の吸い込み、浴室内への空気の吹き出しを行うグリル９と、吸込風路１０ａと吹出風路１０ｂに上下方向に２分割され、壁面６を貫通しグリル９と製品本体を連結するダクト１０と、前記製品本体とで構成している。製品本体は、外枠は本体フレーム１６から成り、内部に熱源となる熱交換器１と、この熱交換器１を介して温風を浴室内に循環送風する循環ファン２と、この循環ファン２を駆動する循環ファンモーター３と、浴室内の湿気を含む空気を換気する換気ファン４と、この換気ファン４を駆動する換気ファンモーター５と、排気口１１と、仕切板８により隔てられた電装部７とで構成している。
【００３９】
上記構成において、循環ファン２の働きにより、グリル９からダクト１０内部を上下に区画形成した上側の吸込風路１０ａより循環ファン２を介し、この循環ファン２と換気ファン４を区画形成したケーシング１７を通り熱交換器１を介して再びダクト１０の吹出風路１０ｂを通り、グリル９より温風を浴室内に循環送風する循環風路と、換気ファン４の働きにより、浴室内の湿気を含む空気をグリル９よりダクト１０内部を上下に区画形成した上側の吸込風路１０ａを通り、換気ファン４を介し循環ファン２と換気ファン４を区画形成したケーシング１７を通り、熱交換器１への空間を遮断し排気口１１に導くよう構成された換気仕切板１８により、排気口１１より排気する排気風路が形成され、これらの運転動作を電装部７で制御している。
【００４０】
そして、循環ファン２を駆動する循環ファンモーター３と換気ファン４を駆動する換気ファンモータ５双方の軸方向を製品取付壁面６に対しともに垂直となる方向に設けるとともに、前記循環ファン２および換気ファン４により形成される循環風路および排気風路に対して電装部７が仕切板８により隔てられている。
【００４１】
上記構成において、循環ファン２および換気ファン４はシロッコファン形状のものとなり浴室壁面６を貫通したダクト１０を通じ吸い込み・吹き出しを行うこととなる。そして、シロッコファンを用いることにより浴室壁の厚みおよび貫通孔径によらず一定の風量を確保できることとなる。
【００４２】
（実施例２）
図５および図６に示すように、熱交換器１より製品設置壁面６までの吹出口風路１２の熱交換器１側は、循環ファン２の働きによりグリル９よりダクト１０を通じ熱交換器１を介して吸い込んだ浴室内空気を最大限取り込める大きさとし、一方壁面６側は２分割された風路を持つダクト１０における吹出風路１０ｂの大きさとなるように熱交換器１より勾配を持たせた形状を備えている。
【００４３】
上記構成において、熱交換器１側より壁面６設置側の断面積の大きさが小さくなっており、このとき空気圧損を減らす為の吹出口風路１２の形状は斜め勾配となっており、吹出口風路１２と本体フレーム１６との間に隙間１９ができることとなる。そして、この隙間１９を利用することにより接続配管を接続するときに、接続配管を配管引き出し口Ａ１４より導き配管接続口１３に接続することができる一方、配管引き出し口Ｂ１５より吹出口風路１２と本体フレーム１６の隙間１９を通し配管接続口１３に導き接続でき、接続配管を左右どちらからでも導くことができる。
【００４４】
（実施例３）
図７は壁面設置式浴室乾燥機を壁面設置側に対し反対側より見た図であるが、製品本体外枠は本体フレーム１６と裏面板２０により構成しており、この裏面板２０を外すことにより電装部７が見える構成となっている。一方循環風路および排気風路と電装部７とを隔てる仕切板８には片側が解放される形状の長孔２３を設けた支え具２２が備えられ、電装部７には前記長孔２３に引っかかる構造とした引掛部２１を設けている。
【００４５】
上記構成において、長孔２３は解放部の裏面板２０側に向いているため、メンテナンス等で電装部７を取り外すときは裏面板２０を取り外し、電装部７の引掛部２１を支え具２２に設けた長孔２３をスライドさせることによって、簡単に電装部７を取り外すことができる。
【００４６】
（実施例４）
図７に示すように、製品本体外枠は本体フレーム１６と裏面板２０により構成されており、この裏面板２０を外すことで、１枚の支え板２４に裏面板２０と反対方向にモーター軸が向く方向に取り付けられた循環ファンモーター３と換気ファンモーター５が確認でき、支え板２４を取り外すことにより循環ファンモーター３、換気ファンモーター５および循環ファン２、換気ファン４を一体で取り外すことができる。
【００４７】
上記構成において、モーターの交換作業の容易化を図ることができる。
（実施例５）
図８および図９に示すように、吸込風路１０ａと吹出風路１０ｂを備えたダクト１０はグリル９壁面側に取り付けられ、壁面６を貫通し本体フレーム１６の吸込口３３および吹出口３４に、吸込風路１０ａが吸込口３３に吹出風路１０ｂが吹出口３４に位置するように結合する。
【００４８】
上記構成において、壁面６の厚みによりダクト１０の長さが一定とはならないためダクト不必要部分３６の長さ調節をする必要があるが、薄手の樹脂で作られたダクト１０は加工が容易にできるため長さ調節が安易にできる構造となっている。
【００４９】
一方、ダクト１０を長方形形状にすることにより梱包収納時に折り畳むことができ、梱包スペースをとらない構造としたものである。
【００５０】
（実施例６）
図１０および図１１に示すように、本体フレーム１６と壁面６に接する取付板４０は分割できる構造となっており、取付板４０には無数の取付用孔４５を備えている。一方、取付用孔４５の内径に対し小さい外径であるリング部４１ａとワッシャー４２が取付板４０に当たらない十分な厚みを有し、取付用孔４５の径より大きな外径を持つリング部４１ｂを合わせた構造の凸形絶縁体４１は、取付用孔４５にリング部４１ａを嵌入した取付位置となり、製品の本体フレーム１６を固定するための十分な強度を持った数本のねじ４３はワッシャー４２を通り、取付板４０に挿入された凸形絶縁体４１を介し、貫通孔を有する孔付絶縁体４６の貫通孔を通り壁面６に取り付けられる。さらに、ねじ４３は壁面６中に位置するラスメタル４４を介し野地板４７に固定される。このため、ねじ４３はワッシャー４２・凸形絶縁体４１・孔付絶縁体４６・ラスメタル４４・野地板４７と接触することとなり、本体フレーム１６とラスメタル４４は電気的に遮断されることとなる。
【００５１】
また、樹脂製であるダクト１０を用いることにより本体フレーム１６とラスメタル４４は電気的に遮断されることとなる。
【００５２】
上記構成において、壁中の構造にかかわらず製品本体と壁中とが電気的に遮断できる。
【００５３】
【発明の効果】
以上のように本発明によれば、インテリア性を重視し製品本体を浴室外に設置する場合、シロッコファンを用いることにより浴室壁面の厚さに関係なくほぼ一定の風量を確保することができるという有利な効果が得られる。
【００５４】
また、本体フレームと吹出口風路の隙間を利用して接続配管が左右どちらの方向でも導けるため一方向が障害物等により配管接続ができない場合でももう片方向より接続可能なため、製品本体設置場所の影響を受けない接続配管引き回しができるという効果が得られる。
【００５５】
また、電装部の取り出しを可能にすることにより製品の運転動作を司る電装部のメンテナンス作業を容易に行うことができるという効果が得られる。
【００５６】
また、本体裏面板を取り外し、支え板を外すことにより重量物となるモーターの交換作業を安易に行うことができるという効果が得られる。
【００５７】
また、施工時のダクト長さ調節のための加工が容易にでき、かつ、ダクトを長方形形状にすることにより梱包収納時に折り畳むことができるので、スペースをとらないという効果が得られる。
【００５８】
また、製品より漏電した際に壁中にワイヤラス張り、メタルラス張り、金属板使用の場合でも特別に絶縁処理を行わなくても漏電しないという優れた効果が得られる。
【図面の簡単な説明】
【図１】本発明の実施例１の壁面設置式浴室乾燥機の製品本体を示す斜視図
【図２】同壁面設置式浴室乾燥機の壁面設置状態を示す断面図
【図３】（ａ）同壁面設置式浴室乾燥機の循環風路を示す外観図
（ｂ）同壁面設置式浴室乾燥機の壁面設置状態における循環風路を示す断面図
【図４】（ａ）同壁面設置式浴室乾燥機の排気風路を示す外観図
（ｂ）同壁面設置式浴室乾燥機の壁面設置状態における排気風路を示す断面図
【図５】同実施例２の壁面設置式浴室乾燥機の外観図
【図６】同壁面設置式浴室乾燥機の壁面設置状態を示す断面図
【図７】（ａ）同実施例３および実施例４における壁面設置式浴室乾燥機の壁面設置側の逆方向より見た分解図
（ｂ）同実施例３の壁面設置式浴室乾燥機の引掛部の構造を示す部分拡大図
【図８】同実施例５の壁面設置式浴室乾燥機を浴室側より見た壁面設置過程を示す概観図
【図９】同壁面設置式浴室乾燥機の壁面設置過程を示す断面図
【図１０】同実施例６の壁面設置式浴室乾燥機を屋外より見た壁面設置過程を示す外観図
【図１１】同壁面設置式浴室乾燥機の壁面設置過程を示す断面図
【図１２】従来の浴室空気調和機の壁面設置を示す設置図
【図１３】同壁面設置式浴室乾燥機の分解図
【符号の説明】
１      熱交換器
２      循環ファン
３      循環ファンモーター
４      換気ファン
５      換気ファンモーター
６      壁面
７      電装部
８      仕切板
９      グリル
１０    ダクト
１０ａ  吸込風路
１０ｂ  吹出風路
１２    吹出口風路
１６    本体フレーム
１９    隙間
２０    裏面板
２１    引掛部
２２    支え具
２３    長孔
２４    支え板
４０    取付板
４１    凸形絶縁体
４１ａ  リング部
４３    ねじ
４５    取付用孔
【図１】
0003693513.tif 000002
【図２】
0003693513.tif 000003
【図３】
0003693513.tif 000004
【図４】
0003693513.tif 000005
【図５】
0003693513.tif 000006
【図６】
0003693513.tif 000007
【図７】
0003693513.tif 000008
【図８】
0003693513.tif 000009
【図９】
0003693513.tif 000010
【図１０】
0003693513.tif 000011
【図１１】
0003693513.tif 000012
【図１２】
0003693513.tif 000013
【図１３】
0003693513.tif 000014